(57)【要約】      （修正有）【課題】排水溝未整備あるいは浸透しにくい土質といった排水条件に恵まれない地域において、合併処理浄化槽で浄化された排水を敷地内で蒸発処分する装置の提供。【解決手段】合併処理浄化槽の後に、１．流量調整槽、２。接触ばっ気槽、３．ろ過槽、４．処理水槽、５．蒸発棚、６．制御盤という組み合わせで設置された合併処理排水蒸発装置。１．流量調整槽は１日分の排水を貯留する容積を持ち、水中ポンプ又はブロワ送風によるエアーリフトポンプ・定水位樋より構成され、２．接触ばっ気槽は、無臭・透視度３０ｃｍ以上の浄化処理水を確保するのに必要な容積を持ち、ブロワ・散気管・接触材・バッフル板より構成される。【選択図】図３
0003134586.tif 000002
【実用新案登録請求の範囲】
【請求項１】
合併処理浄化槽からの排水をさらに透明・無臭にまで浄化して蒸発棚に散水し、また水量調整機能を持つ高性能合併処理浄化槽においてはその浄化された排水を直接蒸発棚に散水し、蒸発棚において
▲１▼充填剤に水滴や湿りとして付着させ、風および対流で大気と接触することにより蒸発させる
▲２▼一部“しずく”として地表に落ちた排水は地表面で拡散・浸透・蒸発させる
という２つの蒸発機能を組合せ、結果的に全量を敷地内で蒸発処分する装置
【考案の詳細な説明】
【技術分野】
【０００１】  排水溝未整備あるいは浸透しにくい土質といった排水条件に恵まれない地域において、合併処理浄化槽で浄化された排水を敷地内で蒸発処分する装置に関する。
【背景技術】
【０００２】  従来の敷地内処分には、地下浸透方式や蒸発散方式などがある。
【考案の開示】
【考案が解決しようとする課題】
【０００３】  特に浸透しにくい土質の地域の場合、従来方式では、排水中の浮遊物や浄化処理過程で新たに発生する浮遊物の蓄積・濃縮などにより“詰まり”という問題があった。【０００４】  排水の全量を、“詰まる”ことなく、敷地内で蒸発処分することを目的とする。
【課題を解決するための手段】
【０００５】  上記目的を達成するために、合併処理浄化槽の後に水量調整機能、有機物・浮遊物をさらに除去する機能、および散水・蒸発機能を組合せた装置を設置したものである。また、水量調整機能を持つ高性能合併処理浄化槽においては、その後に散水・蒸発機能のみを設置したものである。【０００６】  水量調整は流量調整槽と三角堰により、有機物除去は接触ばっ気槽により、浮遊物除去はろ過槽により行う。また、蒸発は蒸発棚に浄化された排水を間欠的に散水し、大気中に自然に蒸発させ、一部“しずく”として地表に落ちた排水は地表面で拡散・浸透・蒸発させるものである。
“しずく”として地表に落ちた排水は蒸発棚を設置した地表面で拡散・浸透・蒸発させる方法と、蒸発棚の下に受皿を設置して一旦“しずく”を集め、拡散・浸透・蒸発に適した場所へ配管等で移送して行う方法とがある。
【考案の効果】
【０００７】（１）排水は大気中で蒸発棚の充填材に散水され、大気と接触して、充填材から大半が蒸発するため、浮遊物等の“詰まる”ところがない。
（２）“しずく”として地表に落ちた排水は、地下の浸透しにくい土質に関係ない地表面で拡散・浸透・蒸発するため、“詰まる”ことがない。
【考案を実施するための最良の形態】
【０００８】  図において、１は流量調整槽、２は接触ばっ気槽、３はろ過槽、４は処理水槽、５は蒸発棚、６は制御盤。水量調節機能の構成部材として、７は水中ポンプ又はブロワ送風によるエアーリフトポンプ、８は定水位樋、９は三角堰型計量器。接触ばっ気槽構成部材として１０はブロワ、１１は散気管、１２は接触材、１３はバッフル板。ろ過槽構成部材として、１４はろ材支持床、１５はろ材。蒸発機能の構成部材として、１６はポンプ、１７は散水ノズル、１８は充填材、１９は受皿。【０００９】  １５ろ材は竹・篠その他天然材料とし、浮遊物が捕捉され多量に蓄積した場合は取出して容易に洗い出すことができ、再充填して繰返し使用できる。１８充填材は、枯れても形が崩れにくい竹・篠その他天然材料の幹や枝葉などを使用する。これらは空隙率が高く、表面積も大きいので充填層内部まで大気と接触が容易で、蒸発に適している。
【実施例】
【００１０】  生活廃水（通常２人家族、水道水１日当り使用量が平均５００リットル・最大７５０リットル）を５人槽型合併処理浄化槽で浄化した後、本装置の５人用浄化装置でさらに浄化し、２人用蒸発棚で蒸発している（２００５年１２月２０日より稼動）。設置面積は約６ｍ２、管理スペースを含む必要面積は約１０ｍ２。
体積約１．３ｍ３の蒸発棚に日平均５００リットルの排水を２４時間以内で間欠的に散水すると、５０〜６０％が蒸発棚より蒸発し、残り４０〜５０％は“しずく”として地表に落ち、蒸発棚の設置面積約１ｍ２の地表面で拡散・浸透・蒸発し、２４時間以内に１日分の排水を処分できる。また、蒸発棚の下に受皿を置き、“しずく”排水を一旦集めて配管で水草の入った水槽へ導き、溢れた排水は付近の地表面で拡散・浸透・蒸発させることも行っている。
散水による微量の“飛沫”で周囲約５０ｃｍ巾の地面に若干の湿り気は見られる。また、雨の降った日は雨水と混じり、雨水と共に拡散・浸透・蒸発する。この場合でも“しずく”排水の拡散・浸透・蒸発場所付近に水溜まりが遅くまで残るという現象は見られず、普段と変わらない。
【産業上の利用可能性】
【００１１】  排水溝未整備あるいは浸透しにくい土質といった排水条件に恵まれない地域において、敷地内に設置スペースが確保できれば、家庭の水回り生活の円滑化とレベルアップの手段として利用される可能性が高い。【００１２】  排水溝未整備あるいは浸透しにくい土質といった排水条件に恵まれない地域において、生活廃水と類似水質の廃水を排出する飲食業・食品加工業等小規模事業所の課題を解消する手段として利用される可能性がある。【００１３】  排水の全量を敷地内で蒸発処分するので環境を汚染することがないため、環境保全の目的に利用される可能性がある。
【図面の簡単な説明】
【００１４】
【図１】  処理フロー
【図２】  ろ過槽断面図
【図３】  蒸発棚外形図
【符号の説明】
【００１５】１  流量調整槽    ７  水中ポンプ                                １３  バッフル板
２  接触ばっ気槽      又はブロワ送風によるエア−リフトポンプ    １４  ろ材支持床
３  ろ過槽        ８  定水位樋                                  １５  ろ材
４  処理水槽      ９  三角堰型計量器                            １６  ポンプ
５  蒸発棚      １０  ブロワ                                    １７  散水ノズル
６  制御盤      １１  散気管                                    １８  充填材
１２  接触材                                    １９  受皿
【図１】
0003134586.tif 000003
【図２】
0003134586.tif 000004
【図３】
0003134586.tif 000005
【手続補正書】
【提出日】平成19年5月2日(2007.5.2)
【手続補正１】
【補正対象書類名】実用新案登録請求の範囲
【補正対象項目名】請求項１
【補正方法】変更
【補正の内容】
【請求項１】
生活廃水及び類以水質廃水を敷地内で全量処分するという目的において、合併処理浄化槽の後に、１．流量調整槽、２．接触ばっ気槽、３．ろ過槽、４．処理水槽、５．蒸発棚、６．制御盤という組合せで設置された合併処理排水蒸発装置であって、１．流量調整槽は１日分の排水を貯留する容積を持ち、水中ポンプ又はブロワ送風によるエアーリフトポンプ・定水位樋より構成され、２．接触ばっ気槽は、無臭・透視度３０ｃｍ以上の浄化処理水を確保するのに必要な容積を持ち、ブロワ・散気管・接触材・バッフル板より構成され、３．ろ過槽は、流入排水中の浮遊物がろ材に補足され、蓄積するのを妨げないほどの弱い水の流速を確保するのに必要な容積を持ち、ろ材支持床・長さ３０ｍｍ程度に切りそろえられた竹篠その他天然材料を多量に充填したろ材・分配管・集水管より構成され、４．処理水槽は、三角堰型計量器・ポンプより構成され、それらの設置と水位制御に必要なスペースを確保するのに必要な容積を持ち、５．蒸発棚は、１基あたり排水３００リットル程度を２４時間で蒸発させるのに必要な容積を持ち、散水ノズル・長さ４５０ｍｍ程度に切りそろえられた竹篠その他天然材料の幹や枝葉などを緩く束ねて棚に縦向きに並べた充填材より構成され、地表に落ちた“しずく”排水を他の場所へ移送する場所には受皿も加えて構成された合併処理排水蒸発装置。